(57)【要約】【課題】相手側挿込接続端子の挿入を安定化し、可動接触片の座屈の危険を解消すると共に、所望の接触圧を維持する。【解決手段】接続部１１は底板１４、その左右両側に連設した側板１５、及び一方の側板１５に連設した天板１７が折曲して略箱型に形成されている。側板１５の前方側部には、条片状の可動接触片１８の基部が付設され、この可動接触片１８は、天板１７の内側に沿った上片１８ａと、奥部において折曲され前方に折り返された下片１８ｂと、接続部１１内の中央部近傍で下方に膨らみ逆山形状にされた下片１８ｂの頂部に設けられた接点部１８ｃとを有し、弾発性を持つ板ばね状に形成されている。上片１８ａの基部には取付孔１８ｄが設けられており、この取付孔１８ｄには下片１８ｂの先端の自由端１８ｅが嵌入可能とされている。【選択図】        図２
2004172000.tif 000002
【特許請求の範囲】
【請求項１】
導電金属板を打ち抜き・折曲して形成し、前方に相手側挿込接続端子を受け入れる接続部を設け、後方に電線を接続するための電線圧着部を設け、前記接続部は、底板、その左右両側に連設する側板、一方の側板に連設する天板とによって囲まれた略箱型に形成し、一方の側板の前方側部に付設した可動接触片を折曲部により上片、下片の二つ折りにして前記接続部内に配置した接続端子において、前記可動接触片は前記上片を前記天板に沿って奥方向に向けて配置すると共に前記下片をその自由端を前方に向けてヘアピン状に折り返し、前記自由端を前記上片の基部に設けた取付孔に嵌入可能としたことを特徴とする接続端子。
【請求項２】
前記上片の基部近傍を前記天板の内面に接触させた請求項１に記載の接続端子。
【請求項３】
前記下片に頂部を下方に向けた接点部を設けた請求項１に記載の接続端子。
【請求項４】
前記上片の前記折曲部と反対側の前端部を前方に延在し、下方に折曲してガイド部とした請求項１に記載の接続端子。
【発明の詳細な説明】
【０００１】
【発明の属する技術分野】
本発明は、相手側の挿込接続端子と電気的に接続する雌型の接続端子に関するものである。
【０００２】
【従来の技術】
従来からこの種の接続端子は、前方に相手側の挿込接続端子を受け入れる接続部と、後方に電線を継ぐ電線圧着部とを有し、これらは１枚の導電金属板を折り曲げて形成されている。
【０００３】
図５は従来例の接続端子の縦断面図であって、１は接続端子の接続部、２は電線圧着部である。接続部１は内方に膨出する接触部３ａを有する底板３、その左右両側に連なる側板４、５（５は図示せず）、一方の側板４に連設した天板６とによって囲まれた略箱型の形状とされ、接続部１の内部には可動接触片７が配置され、この可動接触片７は天板６の後方に延在され、二つ折りとされ前方に折り返されている。
【０００４】
可動接触片７は天板６に連接する基部７ａと自由端７ｂとの中間部の頂点を接点部７ｃとする逆山形状に形成されており、自由端７ｂは天板６の内面に摺動自在に接触し、接点部７ｃと底板３の接触部３ａとの間に、相手側の挿込接続端子の平刃状接続部が挿入されるようになっている。また天板６には、突起部６ａが接点部７ｃの裏側に形成されて、可動接触片７の過度の変形が規制されている。
【０００５】
図示しない相手側の挿込接続端子が接続部１内に挿入されると、可動接触片７が弾性変形して、接点部７ｃにより挿込接続端子の平刃状接続部を押圧する。
【０００６】
【発明が解決しようとする課題】
しかしながら上述の従来例において、特に相手側の挿込接続端子が接続部１内に斜め方向から挿入される場合などに、挿込接続端子の先端が当接する可動接触片７の逆山形の斜面との間の摩擦力が、可動接触片７を長手方向に押し縮めるように作用し、可動接触片７の斜面の傾斜を増加させる。従って、摩擦力が更に増大し、挿込接続端子の円滑な挿入が困難となり、可動接触片７の座屈させる虞れがある。
【０００７】
特に、多数の接続端子を同一のハウジング内に収容した多極コネクタの場合には、挿込接続端子の何れかが摩擦抵抗により挿入できないと、全体の挿込接続端子の挿入が不可能となる虞れがある。
【０００８】
本発明の目的は、上述の従来例の問題点を解消し、相手側の挿込接続端子の挿入を安定化し、端子挿入時の摩擦力を低減し得る接続端子を提供することにある。
【０００９】
【課題を解決するための手段】
上述の目的を達成するための本発明に係る接続端子は、導電金属板を打ち抜き・折曲して形成し、前方に相手側挿込接続端子を受け入れる接続部を設け、後方に電線を接続するための電線圧着部を設け、前記接続部は、底板、その左右両側に連設する側板、一方の側板に連設する天板とによって囲まれた略箱型に形成し、一方の側板の前方側部に付設した可動接触片を折曲部により上片、下片の二つ折りにして前記接続部内に配置した接続端子において、前記可動接触片は前記上片を前記天板に沿って奥方向に向けて配置すると共に前記下片をその自由端を前方に向けてヘアピン状に折り返し、前記自由端を前記上片の基部に設けた取付孔に嵌入可能としたことを特徴とする。
【００１０】
【発明の実施の形態】
本発明を図１〜図４に図示の実施の形態に基づいて詳細に説明する。
図１は接続端子の展開図、図２は縦断面図を示している。接続端子は相手側挿込接続端子を受け入れる接続部１１、中間のスタビライザ１２、及び後方の電線圧着部１３とを含む全ての部分が、図１に示すように導電金属板を打ち抜いて、更に図２に示すように折曲して形成されている。
【００１１】
接続部１１は底板１４、その左右両側に連設した側板１５、１６、及び一方の側板１５に連設した天板１７とを図１の１点鎖線で示すように折曲して略箱型に形成されている。底板１４には、内方に膨出する接触部１４ａが設けられている。側板１６の前方側部には、条片状の可動接触片１８の基部が付設され、この可動接触片１８は、天板１７の内側に沿った上片１８ａと、奥部において折曲され前方にヘアピン状に折り返された下片１８ｂとから成っている。そして、接続部１１内の中央部近傍で下方に膨らみ、逆山形状にされた下片１８ｂの頂部に接点部１８ｃが設けられ、弾発性を持つ板ばね状とされている。
【００１２】
上片１８ａの基部には取付孔１８ｄが設けられており、この取付孔１８ｄには下片１８ｂの先端の先細の自由端１８ｅが嵌入可能にされている。また、上片１８ａから自由端１８ｅと反対側の前方に延在された先端部１８ｆは、内側に円弧状に折曲されてガイド部とされており、常時は自由端１８ｅは常時はこの先端部１８ｆの内側に位置している。更に、下片１８ｂの両側には翼部１８ｇが突設され、側板１５、１６に設けられた掛止孔１５ａ、１６ｂ内に係止するようにされている。
【００１３】
天板１７の後方に延在された辺部１７ａは内方に折曲され、ハウジングに設けられた係止ランスが係止するための係止部とされている。
【００１４】
この接続端子は１枚の帯状金属板を使用して、フォーミングプレスによる多数の工程を経て、打ち抜き、折曲しながら形成され、可動接触片１８は接続部１１の組立過程中に所定位置に挿入される。
【００１５】
完成した接続端子の電線圧着部１３に電線を接続した後に、接続端子は合成樹脂製のハウジング内に挿入される。この際に、辺部１７ａにハウジングの係止ランスが係止し、接続部１１の先端がハウジングの先端係止部に係止し、スタビライザ１２がハウジングの所定位置に嵌合することにより、接続端子はハウジング内に固定され、接続端子のハウジングに対する前後方向への抜け出しが防止され、姿勢が安定する。
【００１６】
この接続端子においては、特に可動接触片１８の自由端１８ｅが、図２の一点鎖線で示すように、上片１８ａの基部の取付孔１８ｄに嵌合可能とされているため、図３に示すように相手側の挿込接続端子の平刃状接続端Ｔが可動接触片１８の板ばね状の接点部１８ｃと底板１４の接触部１４ａの間に挿入されて嵌合する際に、挿込接続端子から可動接触片１８を押し上げ力が加わると、自由端１８ｅは取付孔１８の間に嵌入され、自由端１８ｅの位置が固定され、下片１７ｂは前後方向に移動することはない。
【００１７】
つまり、平刃状接続端Ｔが更に図４に示すように挿入されると、その押し上げ力は後方の折曲部を介して上片１８ａにも伝達され、下片１８ｂと上片１８ａとの間隔、上片１８ａと天板１７との間隙が小さくなるように、可動接触片１８は柔軟に変形し、平刃状接続端Ｔに対する圧接力はほぼ一定となり挿入力は安定する。
【００１８】
平刃状接続端Ｔが接続部１１内への挿入が完了した図４に示す状態では、平刃状接続端Ｔは下片１８ｂの接点部１８ｃと底板１４の接触部１４ａとの間で安定した力で挟持され、確実な電気的接続が得られる。
【００１９】
同一のハウジング内に多数の接続端子を収容した多極コネクタの場合には、本発明に係る接続端子を使用することによって、挿込接続端子の挿入力のばらつきが少なくなり、その効果はより顕著となる。
【００２０】
【発明の効果】
以上説明したように本発明に係る接続端子は、相手側挿込接続端子を挿入する際の可動接触片のばね性を弱くし、姿勢が一定となった以後は所定の圧接力としているので、相手側接続端子を抵挿入力で挿入でき、安定した円滑な挿入操作を可能とする。
【図面の簡単な説明】
【図１】接続端子の展開図である。
【図２】接続端子の縦断面図である。
【図３】相手側接続端の挿入状態の縦断面図である。
【図４】相手側接続端の挿入状態の縦断面図である。
【図５】従来例の接続端子の縦断面図である。
【符号の説明】
１１  接続部
１３  電線圧着部
１４  底板
１５、１６  側板
１７  天板
１８  可動接触片
１８ａ  上片
１８ｂ  下片
１８ｃ  接点部
１８ｄ  取付孔
１８ｅ  自由端
【図１】
2004172000.tif 000003
【図２】
2004172000.tif 000004
【図３】
2004172000.tif 000005
【図４】
2004172000.tif 000006
【図５】
2004172000.tif 000007